(57)【要約】      （修正有）【課題】作業者がロッド同士の連結を簡単にできる貫入ロッドを提供する。【解決手段】ロッド２０の一端には嵌合軸２２が一体成形される一方、他端には当該嵌合軸を挿入可能な嵌合穴２３が穿設され、ロッドの嵌合軸は、先端側に位置する導入部２２ａと、基部側に位置する雄ねじ部２２ｂとから成り、ロッドの嵌合穴は、深部側に位置する雌ねじの成形されていない導入孔２３ａと、開口側に位置して嵌合軸の雄ねじ部２３ｂが螺合可能な雌ねじ部とから成る貫入ロッド１による。この貫入ロッドは、雄ねじ部の成形されていない導入部を有するので、ロッドの嵌合穴に嵌合軸を挿入する初めの段階では螺合が不要になり、ある程度挿入して嵌合軸の雄ねじ部と嵌合穴の雌ねじ部との螺合が必要な段階では、すでにロッド同士は真っ直ぐになっているので、作業者は簡単にロッドとロッドを連結することができる。【選択図】図１
2019112820.tif 000002
【特許請求の範囲】
【請求項１】
スウェーデン式サウンディング試験およびこれに準ずる貫入試験に用いられ、ロッドの先端に貫入体を連結するとともに、ロッドの後端に順次延長用ロッドを継ぎ足すように構成された貫入ロッドであって、
ロッドの一端には嵌合軸が一体成形される一方、他端には当該嵌合軸を挿入可能な嵌合穴が穿設され、
ロッドの嵌合軸は、先端側に位置する導入部と、基部側に位置する雄ねじ部とから成り、
ロッドの嵌合穴は、深部側に位置する雌ねじの成形されていない導入孔と、開口側に位置して嵌合軸の雄ねじ部が螺合可能な雌ねじ部とから成ること、
を特徴とする貫入ロッド。
【請求項２】
スウェーデン式サウンディング試験およびこれに準ずる貫入試験に用いられ、ロッドの先端に貫入体を連結するとともに、ロッドの後端に順次延長用ロッドを継ぎ足すように構成された貫入ロッドであって、
ロッドの一端には嵌合軸が一体成形される一方、他端には当該嵌合軸を挿入可能な嵌合穴が穿設され、
ロッドの嵌合軸は、先端側に雌ねじ部を有し、
ロッドの嵌合穴は、深部側に位置して嵌合軸の雄ねじ部が螺合可能な雌ねじ部と、開口側に位置する雌ねじの成形されていない導入孔とから成ること、
を特徴とする貫入ロッド。
【発明の詳細な説明】
【技術分野】
【０００１】
本発明は、スウェーデン式サウンディング試験およびこれに準ずる貫入試験を行うための貫入試験機において利用される貫入ロッドに関する。
【背景技術】
【０００２】
従来から、スウェーデン式サウンディング試験およびこれに準ずる貫入試験（例えば、スクリュードライバーサウンディング試験）には、貫入試験機が使用されている。そして、この貫入試験機に使用される器具としては、非特許文献１に示すスクリューポイントとロッドから成る貫入ロッドが知られている。
【０００３】
スクリューポイントは、先端尖鋭のドリル形状を成しており、後端部には雄ねじ部が一体成形されている。ロッドは、丸棒であり、先端部には雌ねじ部が穿設されており、後端部には雄ねじ部が一体成形されている。ロッドの先端部にスクリューポイントを螺合する一方、ロッドの後端部には、継ぎ足し用のロッドを作業者が螺合することにより延長しながら地中へ貫入させる。
【先行技術文献】
【非特許文献】
【０００４】
【非特許文献１】日本工業規格Ａ１２２１  スウェーデン式サウンディング試験方法
【発明の開示】
【発明が解決しようとする課題】
【０００５】
しかしながら、ロッドを継ぎ足す際には、継ぎ足される側のロッドの雌ねじ部に対して、継ぎ足す側のロッドの雄ねじ部を真っ直ぐに螺入しなければ螺合させることができない。少しでも斜めになっていると螺合できないため、作業者にとってロッドを継ぎ足す作業は負担であった。
【０００６】
本発明の貫入ロッドは、上記問題に鑑みて創成されたものであり、作業者がロッド同士の連結を簡単にできる貫入ロッドを提供することを目的とする。
【課題を解決するための手段】
【０００７】
スウェーデン式サウンディング試験およびこれに準ずる貫入試験に用いられ、ロッドの先端に貫入体を連結するとともに、ロッドの後端に順次延長用ロッドを継ぎ足すように構成された貫入ロッドであって、ロッドの一端には嵌合軸が一体成形される一方、他端には当該嵌合軸を挿入可能な嵌合穴が穿設され、ロッドの嵌合軸は、先端側に位置する導入部と、基部側に位置する雄ねじ部とから成り、ロッドの嵌合穴は、深部側に位置する雌ねじの成形されていない導入孔と、開口側に位置して嵌合軸の雄ねじ部が螺合可能な雌ねじ部とから成る貫入ロッドによる。
【０００８】
あるいは、スウェーデン式サウンディング試験およびこれに準ずる貫入試験に用いられ、ロッドの先端に貫入体を連結するとともに、ロッドの後端に順次延長用ロッドを継ぎ足すように構成された貫入ロッドであって、ロッドの一端には嵌合軸が一体成形される一方、他端には当該嵌合軸を挿入可能な嵌合穴が穿設され、ロッドの嵌合軸は、先端側に雌ねじ部を有し、ロッドの嵌合穴は、深部側に位置して嵌合軸の雄ねじ部が螺合可能な雌ねじ部と、開口側に位置する雌ねじの成形されていない導入孔とから成る貫入ロッドによる。
【発明の効果】
【０００９】
本発明の貫入ロッドによれば、ロッドの嵌合軸は、雄ねじ部の成形されていない導入部を有するので、ロッドの嵌合穴に嵌合軸を挿入する初めの段階では螺合が不要になり、ある程度挿入して嵌合軸の雄ねじ部と嵌合穴の雌ねじ部との螺合が必要な段階では、すでにロッド同士は真っ直ぐになっているので、作業者は簡単にロッドとロッドを連結することができる。
【図面の簡単な説明】
【００１０】
【図１】本発明に係る貫入ロッドを示す一部切り欠き断面図である。
【図２】本発明に係る貫入ロッドの他の実施形態を示す一部切り欠き断面図である。
【発明を実施するための形態】
【００１１】
以下、本発明を実施するための形態を図面に基づいて説明する。図１において、１は、貫入ロッドであって、ロッド２０と、その先端に接続されるスクリューポイント１０とから構成される。
【００１２】
貫入ロッド１は、スウェーデン式サウンディング試験およびこれに準ずる貫入試験に用いられる器具であって、スクリューポイント１０の先端を地表に突き刺し、ロッド１０に荷重とトルクを負荷しながら地中に回転貫入させる貫入試験に用いられる。スウェーデン式サウンディング試験に準ずる貫入試験の一例としては、特開２００７−３２１３８５号公報に記載された貫入試験がある。この貫入試験は、通称、スクリュードライバーサウンディング試験として知られており、試験項目として、貫入ロッド１を貫入する時の荷重と、回転時の回転負荷トルクを測定する点で特徴的である。
【００１３】
スクリューポイント１０は、先端が尖鋭に形成されたドリル状のスクリューポイント本体１１と、連結部１２とから構成されている。
【００１４】
スクリューポイント本体１１の各部寸法は、日本工業規格Ａ１２２１スウェーデン式サウンディング試験方法に規定されたもの同一である。また、スクリューポイント本体１１の端部には、有底の雌ねじ部１３が穿設されている。
【００１５】
連結部１２は、棒材の外周面にねじ山を形成して成り、その一例として本実施形態ではスタッドボルト１２を用いる。スタッドボルト１２の一端をスクリューポイント本体１１の雌ねじ部に螺合し、スタッドボルト１２の他端をスクリューポイント本体１１の端部から突出させることにより、スタッドボルト１２は、スクリューポイント本体１１に取り付けられている。
【００１６】
また、スタッドボルト１２の一端は接着剤を塗布してスクリューポイント本体１１の雌ねじ部１３にねじ込まれるため、より強固に螺合される。
【００１７】
なお、連結部１２は、スタッドボルト１２ではなく、スクリューポイント本体１１に一体成形される雄ねじ部であってもよい。
【００１８】
ロッド２０は、円柱状の本体部２１を有しており、その一端には嵌合軸２２が一体成形される一方、他端には当該嵌合軸２２を挿入可能な嵌合穴２３が穿設されている。
【００１９】
ロッドの嵌合軸２２は、先端側に位置する導入部２２ａと、基部側に位置する雄ねじ部２２ｂとから成る。導入部２２ａは、円柱形状を成している。一方、雄ねじ部２２ｂは、導入部２２ａに連設しておおり、外周面に雄ねじが成形された軸状を成している。
【００２０】
他方、ロッドの嵌合穴２３は、深部側（底部側）に位置して、内周面に雌ねじの成形されていない導入孔２３ａと、開口側に位置して嵌合軸２２の雄ねじ部２２ｂが螺合可能な雌ねじが内周面に成形された雌ねじ部２３ｂとから成る。これら導入孔２３ａと雌ねじ部２３ｂとは連なって設けられている。
【００２１】
また、ロッド２０は、同一構成のロッド２０を作業者によって順次継ぎ足して使用されるものである。その方法としては、まず、ロッド２０の嵌合穴２３に、ロッド２０の嵌合軸２２を挿入すると、嵌合軸２２の先端は、導入部２２ａを有しているので、嵌合穴２３の導入孔２３ａによって案内される。このとき、ロッド同士が真っ直ぐになる。この状態で挿入を続けると、嵌合軸２２の雄ねじ部２２ｂが、嵌合穴２３の雌ねじ部２３ｂに到達する。このとき、ロッド同士は真っ直ぐになっているので、簡単に雄ねじ部２２ｂと雌ねじ部２３ｂを螺合させることができる。このようにして、ロッド２０とロッド２０が連結される。
【００２２】
以下、本発明の貫入ロッド１００の他の実施形態を図２に基づいて説明する。なお、この貫入ロッド１００が貫入ロッド１と相違する点は、嵌合軸１２２及び嵌合穴１２３の構成である。具体的には、嵌合軸１２２の導入部１２２ａおよび雄ねじ部１２２ｂの位置関係が、貫入ロッド１のそれとは反対になっており、導入部１２２ａが基部側に位置し、雄ねじ部１２２ｂが先端側に位置する。
【００２３】
これに伴い、嵌合穴１２３の導入孔１２３ａおよび雌ねじ部１２３ｂの位置関係も、貫入ロッド１のそれとは反対になっており、導入孔１２３ａが開口側に位置し、雌ねじ部１２３ｂが深部側（底部側）に位置する。このような構成であっても、本発明の目的を達成し、相応の効果を発揮できる。
【符号の説明】
【００２４】
１  貫入ロッド
１０  スクリューポイント
１１  スクリューポイント本体
１２  連結部（スタッドボルト）
１３  雌ねじ部
２０  ロッド
２１  本体部
２２  嵌合軸
２２ａ  導入部
２２ｂ  雄ねじ部
２３  嵌合穴
２３ａ  導入孔
２３ｂ  雌ねじ部
【図１】
2019112820.tif 000003
【図２】
2019112820.tif 000004